(57)【要約】【課題】現像ローラ印加電圧と、供給ローラ印加電圧或いは規制ブレード印加電圧との間に適切な直流電位差を与えることができる電源装置を提供する。【解決手段】本発明の電源装置は、ＡＣ電源部１からの交流電圧を昇圧し２次側に主巻線２２と副巻線２３とを具備するトランス２と、主巻線２２と副巻線２３との共通接続点に、一方端が接続された第１コンデンサ３１と、副巻線２３の当該共通接続点側ではない方の一端に、一方端が接続されたダイオード６０と、ダイオード６０のもう一方端に、一方端が接続された第２コンデンサ３２と、第１コンデンサ３１のもう一方端と、第２コンデンサ３２のもう一方端とに両端が接続された第３コンデンサ３３と、を有し、この第３コンデンサ３３の両端の電圧を、それぞれバイアス電圧として用いることを特徴とする。【選択図】図１
2010060870.tif 000002
【特許請求の範囲】
【請求項１】
交流電圧を昇圧し２次側に主巻線と副巻線とを具備するトランスと、
前記主巻線と前記副巻線との共通接続点に、一方端が接続された第１コンデンサと、
前記副巻線の前記共通接続点側ではない方の一端に、一方端が接続されたダイオードと、
該ダイオードのもう一方端に、一方端が接続された第２コンデンサと、
前記第１コンデンサのもう一方端と、前記第２コンデンサのもう一方端とに両端が接続さ
れた第３コンデンサと、を有し、
該第３コンデンサの両端の電圧を、それぞれバイアス電圧として用いることを特徴とする
電源装置。
【請求項２】
前記第３コンデンサと並列に定電圧ダイオードが接続されることを特徴とする請求項１に
記載の電源装置。
【請求項３】
前記第３コンデンサと並列に抵抗が接続されることを特徴とする請求項１に記載の電源装
置。
【請求項４】
交流電圧を昇圧し２次側に主巻線と副巻線とを具備するトランスと、
前記主巻線と前記副巻線との共通接続点に、一方端が接続された複数の第１コンデンサと
、
前記副巻線の前記共通接続点側ではない方の一端に、一方端が接続されたダイオードと、
該ダイオードのもう一方端に、一方端が接続された複数の第２コンデンサと、
前記複数の第１コンデンサのもう一方端と、前記複数の第２コンデンサのもう一方端とに
両端が接続された複数の第３コンデンサと、
該複数の第３コンデンサの両端の電圧を、それぞれバイアス電圧として用いることを特徴
とする電源装置。
【請求項５】
前記複数の第３コンデンサと並列に定電圧ダイオードが接続されることを特徴とする請求
項４に記載の電源装置。
【請求項６】
前記複数の第３コンデンサと並列に抵抗が接続されることを特徴とする請求項４に記載の
電源装置。
【請求項７】
像担持体上の潜像をトナーにより現像する現像ローラと、
交流電圧を昇圧し２次側に主巻線と副巻線とを具備するトランスと、
前記主巻線と前記副巻線との共通接続点に、一方端が接続された第１コンデンサと、
前記副巻線の前記共通接続点側ではない方の一端に、一方端が接続されたダイオードと、
該ダイオードのもう一方端に、一方端が接続された第２コンデンサと、
前記第１コンデンサのもう一方端と、前記第２コンデンサのもう一方端とに両端が接続さ
れた第３コンデンサと、を有し、
該第３コンデンサの一方端に発生する電圧を現像ローラに印加することを特徴とする画像
形成装置。
【請求項８】
前記現像ローラは金属製であることを特徴とする請求項７に記載の画像形成装置。
【発明の詳細な説明】
【技術分野】
【０００１】
本発明は、現像担持体上にトナーの均一な薄層を形成し、潜像担持体にトナーを搬送す
る現像器に関連し、特に該現像器を構成する現像担持体、潜像担持体、規制ブレードに印
加する電源装置及び画像形成装置に関するものである。
【背景技術】
【０００２】
現像器を構成する現像担持体、潜像担持体、規制ブレードのそれぞれには、電源装置に
よって適切なバイアス電源を印加する必要があり、例えば、特許文献１（特許３２６４０
０１号公報）記載されているように、現像ローラ（現像担持体）、ブレード（層厚規制手
段）、リセットローラ（供給手段）からなる現像器において、ブレードにはブレード印加
電源から電圧を印加しおき、さらにトナーを摩擦し、負に予備帯電させるとともに、供給
手段印加直流電源と供給手段印加交流電源により直流成分と交流成分を重畳した供給手段
印加電圧が印加されたリセットローラの電位（供給手段印加電圧）と現像担持体印加電源
によって印加された現像ローラの電位（現像バイアス電圧）との間で生じる現像ローラか
らリセットローラへ向かう向きのトナー供給電界の静電気力によってトナーを現像ローラ
へ転移させることが記載されている。
【０００３】
次に、従来、本件出願人が検討していた画像形成装置の電源装置について説明する。図
６は画像形成装置の要部断面図である。図６において、像担持体である感光体１０７に形
成された静電潜像を現像する現像器には、ハウジング１０１の感光体１０７と対向する開
口部に現像剤担持体である現像ローラ１０２が設けられ、現像ローラ１０２との接触部（
ニップ部）において同方向（図の矢印方向）に回転する供給ローラ１０３がハウジング内
に設けられ、供給ローラ１０３によりハウジング内に収容されたトナー１０４を現像ロー
ラ１０２の表面に供給している。感光体１０７と現像ローラ１０２との間には間隙が形成
されており、現像の際にはトナーはこの間隙を移動し感光体１０７上に付着することによ
り潜像が現像される。現像ローラ１０２の上側にはシール材１０５が、下側には規制ブレ
ード１０６がそれぞれ設けられている。供給ローラ１０３の回転により現像ローラ１０２
とのニップ部にトナーが供給されると両ローラ間に圧接された状態で搬送され、その過程
で摩擦帯電され、さらに規制ブレード６で多層規制されるとともに摩擦帯電され、現像ロ
ーラ１０２と感光体１０７の対向部に搬送されてＡＣジャンピング現像が行われる。
【０００４】
次に、以上のように構成された画像形成装置にバイアス電源を供給する高電圧電源装置
について説明する。図７は、画像形成装置の電源装置の回路構成を示す図であり、図８は
、電源装置によって現像ローラ、及び、供給ローラ或いは規制ブレードに印加される電圧
の波形を示す図である。図７において、数ｋＨｚで方形波を発生させるＡＣ電源によって
、トランスＴの一次側を励磁させ、これによってトランスＴの２次側にピークツーピーク
でおよそ１２００〜１５００Ｖの電圧を発生させ、さらに、これにＤＣ電圧を重畳し、Ｔ
ａ−Ｔｂ間の定電圧ダイオードＺＤによって電位差を形成し、図８に示すような電圧波形
を得る。図８において、縦軸は単位が電圧であり、横軸は単位が時間である。また、図中
、矢印に示されるように点線で示されるものが、現像ローラ１０２への印加電圧波形であ
り、実線で示されるものが、供給ローラ１０３或いは規制ブレード１０６への印加電圧波
形である。端子Ｔａは現像ローラ１０２に接続され、また、端子Ｔｂは供給ローラ１０３
或いは規制ブレード１０６に接続され、それぞれのバイアス電圧が印加される。
【０００５】
ところで、現像ローラ１０２には、鉄やアルミニウムの金属ローラを用いており、通常
の使用においては、特段の問題なく使用できるのであるが、標高の高い地域での使用にお
いては、空気が希薄となり放電限界が低下して、感光体１０７と現像ローラ１０２との間
隙で放電してしまうという問題がある。このような問題があったため、現像ローラ１０２
に印加するバイアス電圧は、規定の電圧から誤差の少ないものを利用する必要があった。
すなわち、図８のＶｐ−ｐに示される方形波の電圧波形の振幅精度については特に精度を
高くすることが要求されていた。しかしながら、図７に示されるような回路構成では、定
電圧ダイオードＺＤの個体差に応じて、現像ローラへのバイアス電圧が変化してしまうよ
うになっており、これを調整しようとする場合には、定電圧ダイオードＺＤを交換しつつ
調整を図る必要があった。特に、図７に示す回路構成をベースとして、カラーの画像形成
装置に高電圧バイアスを供給するための回路を構成しようとした場合に、この問題が顕在
化してくる。そこで、出願人は、このような課題を解決するために、特許文献２（特開２
００７−２９２９９０号公報）にあるような提案をした。
【特許文献１】特許３２６４００１号公報
【特許文献２】特開２００７−２９２９９０号公報
【発明の開示】
【発明が解決しようとする課題】
【０００６】
図９は特許文献２（特開２００７−２９２９９０号公報）において出願人が提案した電
源装置の回路を示している。このような回路構成によれば、トランス２のタップＡから端
子Ｔ１までのラインから、現像ローラ１０２にバイアス電圧が接続されており、このライ
ンは定電圧ダイオード５０の影響をあまり受けることがなく、このラインからは振幅精度
が高いバイアス電圧を供給することができる。
【０００７】
ところで、従来の電源装置は、このように振幅精度の高いバイアス電圧を供給するもの
であるが、Ｖ＜０側のピークにおいては、現像ローラ印加電圧と供給ローラ印加電圧或い
は規制ブレード印加電圧との間に所定の電位差を有するものの、Ｖ＞０側のピークにおい
ては、現像ローラ印加電圧と供給ローラ印加電圧或いは規制ブレード印加電圧とは同じに
なってしまう、という問題がある。
【０００８】
すなわち、図６に示すような画像形成装置において、トナーの安定した帯電のためには
、現像ローラ印加電圧と供給ローラ印加電圧或いは規制ブレード印加電圧との間には、常
に所定の電位差が与えられている方が望ましいのにもかかわらず、従来の電源装置は、常
時、現像ローラ印加電圧と供給ローラ印加電圧或いは規制ブレード印加電圧との間に直流
電位差を与える適切な回路技術を提案するものではない、という問題があった。
【課題を解決するための手段】
【０００９】
そのために、本発明に係る電源装置は、交流電圧を昇圧し２次側に主巻線と副巻線とを
具備するトランスと、前記主巻線と前記副巻線との共通接続点に、一方端が接続された第
１コンデンサと、前記副巻線の前記共通接続点側ではない方の一端に、一方端が接続され
たダイオードと、該ダイオードのもう一方端に、一方端が接続された第２コンデンサと、
前記第１コンデンサのもう一方端と、前記第２コンデンサのもう一方端とに両端が接続さ
れた第３コンデンサと、を有し、該第３コンデンサの両端の電圧を、それぞれバイアス電
圧として用いることを特徴とする。
【００１０】
また、本発明に係る電源装置は、前記第３コンデンサと並列に定電圧ダイオードが接続
されることを特徴とする。
【００１１】
また、本発明に係る電源装置は、前記第３コンデンサと並列に抵抗が接続されることを
特徴とする。
【００１２】
また、本発明に係る電源装置は、交流電圧を昇圧し２次側に主巻線と副巻線とを具備す
るトランスと、前記主巻線と前記副巻線との共通接続点に、一方端が接続された複数の第
１コンデンサと、前記副巻線の前記共通接続点側ではない方の一端に、一方端が接続され
たダイオードと、該ダイオードのもう一方端に、一方端が接続された複数の第２コンデン
サと、前記複数の第１コンデンサのもう一方端と、前記複数の第２コンデンサのもう一方
端とに両端が接続された複数の第３コンデンサと、該複数の第３コンデンサの両端の電圧
を、それぞれバイアス電圧として用いることを特徴とする。
【００１３】
また、本発明に係る電源装置は、前記複数の第３コンデンサと並列に定電圧ダイオード
が接続されることを特徴とする
【００１４】
また、本発明に係る電源装置は、前記複数の第３コンデンサと並列に抵抗が接続される
ことを特徴とする。
【００１５】
また、本発明に係る画像形成装置は、像担持体上の潜像をトナーにより現像する現像ロ
ーラと、交流電圧を昇圧し２次側に主巻線と副巻線とを具備するトランスと、前記主巻線
と前記副巻線との共通接続点に、一方端が接続された第１コンデンサと、前記副巻線の前
記共通接続点側ではない方の一端に、一方端が接続されたダイオードと、該ダイオードの
もう一方端に、一方端が接続された第２コンデンサと、前記第１コンデンサのもう一方端
と、前記第２コンデンサのもう一方端とに両端が接続された第３コンデンサと、を有し、
該第３コンデンサの一方端に発生する電圧を現像ローラに印加することを特徴とする。
【００１６】
また、本発明に係る画像形成装置は、前記現像ローラは金属製であることを特徴とする
。
【００１７】
本発明の電源装置によれば、常時、現像ローラ印加電圧と供給ローラ印加電圧或いは規
制ブレード印加電圧との間に適切な直流電位差を与えることができる。
【００１８】
また、本発明の電源装置を用いた画像形成装置によれば、現像ローラ印加電圧と供給ロ
ーラ印加電圧或いは規制ブレード印加電圧との間には、常に所定の電位差が与えられてい
るので、トナーが安定して帯電することとなり、画質が向上する。
【発明を実施するための最良の形態】
【００１９】
以下、本発明の実施の形態を図面を参照しつつ説明する。なお、本発明の実施の形態が
例とている画像形成装置においては、負帯電トナーを用いて画像形成が行われる。もちろ
ん、正帯電トナーを用いて画像形成を行うこともできる。以下の説明では、画像形成装置
は負帯電トナーを用いるものとして説明するが、正帯電トナーを用いる場合には、以下の
説明の各部材に印加する電位を逆極性とすればよい。図１は本発明の第１実施形態に係る
電源装置の回路構成を示す図である。この電源装置によってバイアス電圧を印加する画像
形成装置の構成は図６に示したものと同様であるので、これについては図６を参照しつつ
説明する。
【００２０】
図１において、１はＡＣ電源部、２はトランス、３１、３２、３３はコンデンサ、４０
は抵抗、６０はダイオード、７はＤＣ電源部をそれぞれ示している。トランス２は一次巻
線２１及び２次巻線は主巻線２２、副巻線２３とからなる。端子Ｔ１は、現像ローラ１０
２に接続され、また、端子Ｔ２は供給ローラ１０３或いは規制ブレード１０６に接続され
、それぞれのバイアス電圧が印加される。
【００２１】
トランス２の主巻線２２の一方側は接地されており、もう一方の側は副巻線２３と接続
され、この接続点がタップＡとしてトランス２から引き出されている。また、タップＡは
コンデンサ３１を介して、コンデンサ３３の一端に、また、（タップＡ側ではない）副巻
線２３のもう一方側は、ダイオード６０の一方端であるカソード側に接続されている。さ
らに、このダイオード６０のもう一方端であるアノード側は、コンデンサ３２を介して、
コンデンサ３３の他の一端側に接続されている。コンデンサ３３の一端側には、図示する
ように、接地されたＤＣ電源部７と抵抗４０を介して接続される。また、コンデンサ３３
の一端側は端子Ｔ１として、現像ローラ１０２へのバイアス電圧が取り出され、コンデン
サ３３の他端側は端子Ｔ２として、供給ローラ１０３或いは規制ブレード１０６へのバイ
アス電圧がそれぞれ取り出される。
【００２２】
次に、以上の回路構成の動作について説明する。ＡＣ電源部１によって、ＡＣ電圧発生
用のトランス２の１次側巻線を、２次側において所望する電圧波形（正弦波、方形波、デ
ューティ、周波数、任意形状波形）で励磁する。本実施形態では、ＡＣ電源部１によって
方形波を印加している。なお、ＡＣ電源部１は、高電圧発生用のトランス２の１次巻線２
１に、発生したい所望のデューティ、周波数の任意形状の波形（正弦波、方形波等）を印
加して、これを励磁する。通常の画像形成装置では、メカ部分を駆動するための電圧２４
Ｖの電源、２〜４ｋＨｚ程度でスイッチングしてＡＣ電源部１を構成することが一般的で
あるが、これに限るものではない。また、現像ローラ１０２、供給ローラ１０３等からな
る現像器へのバイアス電圧には、方形波が使われることが一般的であるが、これに限定さ
れるものでもない。
【００２３】
トランス２の２次側巻線側には、現像ローラ印加用のＡＣ電圧振幅を発生する２次側主
巻線２２と、供給ローラ印加用或いは規制ブレード印加用の整流前電圧（脈流）を発生す
るための２次側副巻線２３を有する。
【００２４】
ダイオード６０と、端子Ｔ１−端子Ｔ２間のコンデンサ３３とにより、端子Ｔ１−端子
Ｔ２間の電位差が保たれる。また、ＤＣ電源部７が端子Ｔ１に抵抗４０を介して接続され
る。
【００２５】
また、上記の回路においては、２個のコンデンサ、すなわち、コンデンサ３１及びコン
デンサ３２により結合され、交流成分は伝達されるが、直流成分は遮断される。
【００２６】
図２は本発明の電源装置によって、現像ローラ及び供給ローラ或いは規制ブレードに印
加される電圧の波形を示す図である。
【００２７】
まず、主巻線２２からの出力はコンデンサ３１を介して、端子Ｔ１−ＧＮＤ（接地）間
に、ＡＣ電源部１による振幅成分を出現させる。その波形は、トランス２の１次巻線２１
側に流される電流の波形に依存するものとなる。さらに、端子Ｔ１−ＧＮＤ（接地）間に
直流成分を重畳するためにＤＣ電源部７が用いられている。ここで、コンデンサ３１と抵
抗４０によって、ＤＣ電源部７の直流成分に対し、トランス２の２次側主巻線２２に発生
した交流成分（方形波、正弦波等）が端子Ｔ１−ＧＮＤ（接地）間に重畳される。
【００２８】
次に、副巻線２３と、コンデンサ３１、コンデンサ３２、コンデンサ３３、ダイオード
６０がなす閉回路を考える。タップＡ（共通接続点）の極性がプラスの時には、当該閉回
路におけるダイオード６０に電流が流れて、コンデンサ３３をチャージアップする。また
、タップＡの極性がマイナスの時には、前記の閉回路にはダイオード６０の極性のために
電流が流れない。このようにして、副巻線２３からの出力は、ダイオード６０によって直
流整流され、ダイオード６０とコンデンサ３３によって、端子Ｔ１と端子Ｔ２との間の電
位が保持されるような回路構成となっている。
【００２９】
以上から、図２に示すように、本発明の電源装置は、常時、現像ローラ印加電圧（端子
Ｔ１の電圧）と、供給ローラ印加電圧或いは規制ブレード印加電圧（端子Ｔ２の電圧）と
の間に直流電位差を与える適切な回路構成となっている。この現像ローラ印加電圧（端子
Ｔ１の電圧）と、供給ローラ印加電圧或いは規制ブレード印加電圧（端子Ｔ２の電圧）と
の間に直流電位差は概ね１００Ｖ〜２００Ｖ程度に設定される。
【００３０】
このため、本発明の電源装置によれば、Ｖ＜０側のピーク及びＶ＞０側のピークにおい
ても、現像ローラ印加電圧と供給ローラ印加電圧或いは規制ブレード印加電圧との間に所
定の電位差を有するため、常時、現像ローラ印加電圧と供給ローラ印加電圧或いは規制ブ
レード印加電圧との間に適切な直流電位差を与えることができ、また、本発明の電源装置
を用いた画像形成装置によれば、現像ローラ印加電圧と供給ローラ印加電圧或いは規制ブ
レード印加電圧との間には、常に所定の電位差が与えられているので、トナーが安定して
帯電することとなり、画質が向上する。
【００３１】
以上のように本発明の電源装置は、現像ローラ、供給ローラ、規制ブレードにＡＣ電圧
とＤＣ電圧を重畳して印加し、かつ、電位差を設ける回路方式であって、端子Ｔ１は現像
ローラ、端子Ｔ２は供給ローラ或いは規制ブレードに接続されるが、回路方式としては電
子写真方式の要求に従い、電気極性（整流ダイオード、ＤＣ電源）、接続順序（現像ロー
ラ、供給ローラ、規制ブレードと高圧電源との接続）、ＡＣ電源（正弦波、方形波、デュ
ーティ、周波数、任意形状波形）等は、最適な方式を選択することができる。なお、端子
Ｔ１に接続される現像ローラの負荷は、等価的にコンデンサＣｒとして現すことができる
。このコンデンサＣｒはジャンピング現像をする現像器と感光体間の寄生静電容量（高圧
電源から見ると負荷静電容量）である。
【００３２】
なお、本実施形態においては、トランス２のタップＡから端子Ｔ１までのラインから、
現像ローラ１０２にバイアス電圧が接続されているが、このラインからは振幅精度が高い
バイアス電圧を供給することができる。また、例えば、トランス２において複数段のタッ
プが設けられているような場合、これらの複数段設けられているタップのうちから最適な
ものを選ぶなどして、より精度を高めることなどもできる。
【００３３】
次に、本発明の第２の実施の形態に係る電源装置について説明する。図３は本発明の第
２実施形態に係る電源装置の回路構成を示す図である。第２実施形態に係る電源装置が、
第１実施形態に係る電源装置と異なる点は、コンデンサ３３と並列に、さらに定電圧ダイ
オード５０が接続されている点である。本実施形態においては、端子Ｔ１−端子Ｔ２間の
電位差をより正確に制御するために、このような定電圧ダイオード５０の接続によって、
定電圧ダイオード５０のツェナー電圧にて、クランプする構成とした。本実施形態におい
ても第１の実施形態において説明したのと同様の効果を期待することができる。
【００３４】
次に、本発明の第３の実施の形態に係る電源装置について説明する。図４は本発明の第
３実施形態に係る電源装置の回路構成を示す図である。第２実施形態に係る電源装置が、
第１実施形態に係る電源装置と異なる点は、コンデンサ３３と並列に、さらに抵抗４１が
接続されている点である。本実施形態においては、端子Ｔ１−端子Ｔ２間の抵抗４１接続
により、抵抗４１は放電抵抗として機能し、端子Ｔ１−端子Ｔ２間電位差の残留電位を放
電することが可能となる。
【００３５】
次に、本発明の第４の実施の形態に係る電源装置について説明する。図５は本発明の第
４実施形態に係る電源装置の回路構成を示す図である。第４実施形態に係る電源装置の回
路構成は、画像形成装置の３色分の現像器に高圧を供給する電源装置の例である。トラン
ス２とダイオード６０までは３色共通であり、以降の回路に関しては、３色独立の回路構
成となっている。第４実施形態においても、定電圧ダイオード５０や放電抵抗４１をコン
デンサ３３と並列に設けるようにした変形例とすることができる。
【００３６】
本実施形態は、特にタンデム型と呼ばれるカラー画像形成装置に高電圧バイアスを供給
するための電源装置の回路構成としたものである。タンデム型のカラー画像形成装置は、
例えば、シアン、マゼンタ、イエロー、ブラックの各色トナーを扱う各感光体及びこれら
各感光体を現像する現像器が一列に並んだ配置となっており、図６に示される構成を４ユ
ニット有する構成となる。
【００３７】
したがって、カラー画像形成装置では、これら４つの現像器の現像ローラ１０２、供給
ローラ１０３、規制ブレード１０６の各々に高電圧のバイアス電圧を印加するための回路
構成が必要となる。ところで、このようなカラー画像形成装置においては通常、カラーで
の印刷に比べて、モノクロでの印刷の頻度が高いので、ブラックのトナーだけは他の色の
トナーと独立して動作させる構成とすることが多く、それに伴い、現像器にバイアス電圧
を印加するための電源装置も、ブラック用と他の各色用とで分離することがある。本実施
形態では、そのような場合を想定し、特にカラー印刷を行う際に必要となる、シアン、マ
ゼンタ、イエローの各現像器に、バイアスを印加する回路構成につき説明することとする
。
【００３８】
図５において、第１の実施の形態と異なる点は、図示するように、タップＡから、そし
てダイオード６０のもう一方端であるアノード側から、各色用の３つの回路へとトランス
２で昇圧された電圧が供給される点である。なお、イエロー用の回路、マゼンタ用の回路
、シアン用の回路のそれぞれの参照符号の後ろには、図示するようにＹ、Ｍ、Ｃが付して
あり、各色毎に適正化して独立させていることに留意されたい。
【００３９】
本実施形態においては、トランス２のタップＡから端子Ｔ１までのラインから、各色の
現像ローラ１０２にバイアス電圧が接続されているが、これらのラインからは振幅精度が
高いバイアス電圧を各現像ローラへと供給することができる。また、例えば、トランス２
において複数段のタップが設けられているような場合、これらの複数段設けられているタ
ップのうちから最適なものを選ぶなどして、より精度を高めることなどもできる。
【００４０】
本発明の電源装置は、各色の現像器において、常時、現像ローラ印加電圧（端子Ｔ１の
電圧）と、供給ローラ印加電圧或いは規制ブレード印加電圧（端子Ｔ２の電圧）との間に
直流電位差を与える適切な回路構成となっている。このため、本発明の電源装置を用いた
カラー画像形成装置によれば、各色において、現像ローラ印加電圧と、供給ローラ印加電
圧或いは規制ブレード印加電圧との間には、常に所定の電位差が与えられているので、各
色トナーが安定して帯電することとなり、画質が向上する。
【００４１】
なお、いずれの実施形態においても、コンデンサ３１、コンデンサ３２、コンデンサ３
３のぞれぞれの容量Ｃ１、Ｃ２、Ｃ３の間には、
Ｃ３≪Ｃ１、かつ、Ｃ３≪Ｃ２
の関係を有すことが望ましい。なお、この関係において、Ｃ１、Ｃ２はおよそＣ３の５〜
１０倍程度を想定している。
【００４２】
前記の閉回路に着目すると、コンデンサ３１、コンデンサ３２、コンデンサ３３は、複
数のコンデンサの直列回路としてみることができるが、複数のコンデンサの直列回路では
、静電容量値の小さいコンデンサに電圧が現れるため、所定の電位差を端子Ｔ１−端子Ｔ
２間に与えるようにするためには、上記のような関係とするよい。
【００４３】
以上において、種々の実施形態を示したが、例えば、定電圧ダイオード５０を用いる第
２の実施形態に、放電抵抗４１等を用いる第３の実施形態を組み合わせて新たな実施形態
としたり、或いは、トナーの帯電極性や感光体の帯電特性に応じてダイオード６０の接続
極性やＤＣ電源部７の接続極性を変えた組み合わせとして適用することも可能である。さ
らにこの新たな実施形態を上記のようなタンデム型のカラー画像形成装置にバイアスを印
加する電源装置に適用したりすることも可能であり、このような組み合わせによる応用は
全て本発明の範疇である。
【図面の簡単な説明】
【００４４】
【図１】本発明の第１実施形態に係る電源装置の回路構成を示す図である。
【図２】本発明の電源装置によって現像ローラ及び供給ローラ或いは規制ブレードに印加される電圧の波形を示す図である。
【図３】本発明の第２実施形態に係る電源装置の回路構成を示す図である。
【図４】本発明の第３実施形態に係る電源装置の回路構成を示す図である。
【図５】本発明の第４実施形態に係る電源装置の回路構成を示す図である。
【図６】画像形成装置の要部断面図である。
【図７】画像形成装置の電源装置の回路構成を示す図である。
【図８】電源装置によって現像ローラ及び供給ローラ或いは規制ブレードに印加される電圧の波形を示す図である。
【図９】従来の電源装置の回路構成を示す図である。
【符号の説明】
【００４５】
１・・・ＡＣ電源部、２・・・トランス、２１・・・１次巻線、２２・・・主巻線（２次
巻線）、２３・・・副巻線（２次巻線）、３１、３２、３３・・・コンデンサ、４０、４
１・・・抵抗、５０・・・定電圧ダイオード、６０・・・ダイオード、７・・・ＤＣ電源
部、１０１・・・ハウジング、１０２・・・現像ローラ、１０３・・・供給ローラ、１０
４・・・トナー、１０５・・・シール材、１０６・・・規制ブレード、１０７・・・感光
体
【図１】
2010060870.tif 000003
【図２】
2010060870.tif 000004
【図３】
2010060870.tif 000005
【図４】
2010060870.tif 000006
【図５】
2010060870.tif 000007
【図６】
2010060870.tif 000008
【図７】
2010060870.tif 000009
【図８】
2010060870.tif 000010
【図９】
2010060870.tif 000011